(57)【特許請求の範囲】
【請求項１】
光源と、前記光源からの光を導光する回動軸を備えた駆動装置と、前記回動軸に固定された指針ユニットと、をそれぞれ有する複数のメータ部が設けられた指針計器において、
前記指針ユニットのそれぞれには、導光性材料で形成された指針部材と、前記指針部材を覆うカバー部材と、が設けられ、
前記指針部材のそれぞれには、前記回動軸の出光面と対向配置される受光面が一端に形成され、前記受光面で受光された光を他端に導光する柱状の軸部と、前記軸部の他端から当該軸部の軸方向と交差する指示方向に伸びて形成された指針部と、前記軸部からの光を前記指示方向に向けて反射するように形成された指示方向反射面と、が一体に設けられ、
前記カバー部材のそれぞれには、前記指針部を支持する蓋部と、前記蓋部から突出して設けられ、前記軸部が挿入されると共に、前記回動軸が挿入されて固定される筒状の袴部が設けられ、
前記指針部材のうち長さの短い前記指針部の設けられた第１の指針部材における前記軸部と前記袴部の隙間が、前記指針部材のうち長さの長い前記指針部の設けられた第２の指針部材における前記軸部と前記袴部の隙間より広くなるように、前記第１の指針部材における前記受光面の面積が、前記第２の指針部材における前記受光面の面積より小さく構成されていることを特徴とする指針計器。
【請求項２】
光源と、前記光源からの光を導光する回動軸を備えた駆動装置と、前記回動軸に固定された指針ユニットと、をそれぞれ有する複数のメータ部が設けられた指針計器において、
前記指針ユニットのそれぞれには、導光性材料で形成された指針部材と、前記指針部材を覆うカバー部材と、が設けられ、
前記指針部材のそれぞれには、前記回動軸の出光部と対向配置される受光面が一端に形成され、前記受光面で受光された光を他端に導光する柱状の軸部と、前記軸部の他端から当該軸部の軸方向と交差する指示方向に伸びて形成された指針部と、前記軸部からの光を前記指示方向に向けて反射するように形成された指示方向反射面と、が一体に設けられ、
前記カバー部材のそれぞれには、前記指針部を支持する蓋部と、前記蓋部から突出して設けられ、前記軸部が挿入されると共に、前記回動軸が挿入されて固定される筒状の袴部が設けられ、
前記指針部材のうち長さの短い前記指針部の設けられた第１の指針部材における前記軸部の長さが、前記指針部材のうち長さの長い前記指針部の設けられた第２の指針部材における前記軸部の長さより短くなるように、前記第１の指針部材における前記受光面と前記回動軸の出光面との距離が、前記第２の指針部材における前記受光面と前記回動軸の出光面との距離より大きく構成されていることを特徴とする指針計器。
【請求項３】
前記指針部材の指針部が、前記指示方向に加えて当該指示方向と反対の後端方向にも伸びて形成され、
前記指針部材には、さらに、前記軸部からの光を前記後端方向に向けて反射するように形成された後端方向反射面と、が一体に設けられていることを特徴とする請求項１又は２に記載の指針計器。
【発明の詳細な説明】
【技術分野】
【０００１】
本発明は、例えば、速度計や、エンジン回転数計、燃料計などの複数のメータ部を備えた指針計器に関するものである。
【背景技術】
【０００２】
一般に車両には、車両速度やエンジン回転数、燃料残量等の計測値を表示する車両用表示装置が搭載されており、多くの車両において上記車両用表示装置が指針計器で構成されている。このような指針計器は、表面に目盛及び数字、文字または記号等の指標が設けられた文字板、この文字板の前面側に配置されて文字板上の指標を指し示す指針ユニット、及び、指針ユニットが取り付けられた回動軸を計測量に応じて回動させる駆動装置などからなるメータ部が複数設けられている。
【０００３】
そして、このような指針計器に設けられた指針ユニットを暗所においても見やすくするために、指針ユニットを構成する指針部材を、透光性材料としての透光性の合成樹脂で形成するとともに、指針部材内に光源からの光を導光させて指針部材を光輝させる技術が種々開示されている（例えば、特許文献１を参照）。
【０００４】
このような指針部材を備えた従来の指針計器の一例を図１５、図１６に示す。これらの図に示す指針計器９００は、文字板９０２と、指針ユニットとしての自発光指針９０３と、測定量に応じて回動される透光性の合成樹脂からなる回動軸９１４を備えた駆動装置９０４と、配線板９０５と、光源９０６と、を有するメータ部９０１を複数有している。図１６においては、一のメータ部９０１のみ示しているが、他のメータ部９０１についても、文字板９０２の形状及び自発光指針９０３の長さが異なる以外は同様の構成である。
【０００５】
メータ部９０１の自発光指針９０３は、透光性の合成樹脂により一体成形された軸部９４０と指針部９５０とを有する指針部材としての指針本体９３１と、指針本体９３１を覆うとともに指針部９５０の上面９５３を視認者に向けて露出させるためのスリット９７１が設けられたカバー部材９３２と、を備えている。指針部９５０には、軸部９４０からの光を長手方向に反射する中空状反射部９６０が設けられている。
【０００６】
光源９０６から発せられた光は、回動軸９１４内を導光されて指針本体９３１の軸部９４０に受光され、そして、軸部９４０から指針部９５０に導光されて中空状反射部９６０により反射されたのち、この指針部９５０の上面９５３（即ち、出光面）から視認者に向けて出光される。これにより、指針部９５０の上面９５３がカバー部材９３２のスリット９７１を通じて発光視認される。図１６において、白抜き矢印は光の進行を模式的に示している。
【先行技術文献】
【特許文献】
【０００７】
【特許文献１】実開平６−１２９９５号公報
【発明の概要】
【発明が解決しようとする課題】
【０００８】
上述したような複数のメータ部を備える指針計器では、例えば、速度計やエンジン回転数計などの比較的重要な計測値を表示するメータ部が大きくなるように構成され、その他の燃料計や水温計などが小さくなるように構成されているので、各メータ部には、指針部の長さの異なる自発光指針が設けられている。また、各メータ部の光源に同一の発光部材（例えば、ＬＥＤ）が用いることで、色味などの統一感を実現している。
【０００９】
しかしながら、各メータ部の光源に同一の発光部材（例えば、ＬＥＤ）が用いられていることから、各メータ部の指針部材には同量の光が入光されるところ、各指針部材においてはその指針部の長さに応じた面積の出光面が設けられているので、指針部の長さの短い指針部材における単位面積当たりの出光量が、指針部の長さの長い指針部材における単位面積当たりの出光量より大きくなり、そのため、指針部の長さの短い指針部材の方がより明るく視認され、各指針部の明るさのばらつきが生じて視覚効果の統一感が損なわれてしまうという問題があった。また、このような問題を避けるために、例えば、メータ部毎に、光源に供給する電流量や光源の種類を変えたりした構成が考えられるが、構成が複雑になったり色味が変わってしまったりしてしまうという別の問題があった。
【００１０】
本発明は、かかる問題を解決することを目的としている。即ち、本発明は、複数のメータ部の視覚効果を統一感のあるものとすることができる指針計器を提供することを目的としている。
【課題を解決するための手段】
【００１１】
上記目的を達成するために、請求項１に記載された発明は、光源と、前記光源からの光を導光する回動軸を備えた駆動装置と、前記回動軸に固定された指針ユニットと、をそれぞれ有する複数のメータ部が設けられた指針計器において、前記指針ユニットのそれぞれには、導光性材料で形成された指針部材と、前記指針部材を覆うカバー部材と、が設けられ、前記指針部材のそれぞれには、前記回動軸の出光面と対向配置される受光面が一端に形成され、前記受光面で受光された光を他端に導光する柱状の軸部と、前記軸部の他端から当該軸部の軸方向と交差する指示方向に伸びて形成された指針部と、前記軸部からの光を前記指示方向に向けて反射するように形成された指示方向反射面と、が一体に設けられ、前記カバー部材のそれぞれには、前記指針部を支持する蓋部と、前記蓋部から突出して設けられ、前記軸部が挿入されると共に、前記回動軸が挿入されて固定される筒状の袴部が設けられ、前記指針部材のうち長さの短い前記指針部の設けられた第１の指針部材における前記軸部と前記袴部の隙間が、前記指針部材のうち長さの長い前記指針部の設けられた第２の指針部材における前記軸部と前記袴部の隙間より広くなるように、前記第１の指針部材における前記受光面の面積が、前記第２の指針部材における前記受光面の面積より小さく構成されていることを特徴とする指針計器である。
【００１２】
請求項２に記載された発明は、光源と、前記光源からの光を導光する回動軸を備えた駆動装置と、前記回動軸に固定された指針ユニットと、をそれぞれ有する複数のメータ部が設けられた指針計器において、前記指針ユニットのそれぞれには、導光性材料で形成された指針部材と、前記指針部材を覆うカバー部材と、が設けられ、前記指針部材のそれぞれには、前記回動軸の出光部と対向配置される受光面が一端に形成され、前記受光面で受光された光を他端に導光する柱状の軸部と、前記軸部の他端から当該軸部の軸方向と交差する指示方向に伸びて形成された指針部と、前記軸部からの光を前記指示方向に向けて反射するように形成された指示方向反射面と、が一体に設けられ、前記カバー部材のそれぞれには、前記指針部を支持する蓋部と、前記蓋部から突出して設けられ、前記軸部が挿入されると共に、前記回動軸が挿入されて固定される筒状の袴部が設けられ、前記指針部材のうち長さの短い前記指針部の設けられた第１の指針部材における前記軸部の長さが、前記指針部材のうち長さの長い前記指針部の設けられた第２の指針部材における前記軸部の長さより短くなるように、前記第１の指針部材における前記受光面と前記回動軸の出光面との距離が、前記第２の指針部材における前記受光面と前記回動軸の出光面との距離より大きく構成されていることを特徴とする指針計器である。
【００１３】
請求項３に記載された発明は、請求項１又は２に記載された発明において、前記指針部材の指針部が、前記指示方向に加えて当該指示方向と反対の後端方向にも伸びて形成され、前記指針部材には、さらに、前記軸部からの光を前記後端方向に向けて反射するように形成された後端方向反射面と、が一体に設けられていることを特徴とするものである。
【発明の効果】
【００１５】
請求項１、２に記載された発明によれば、複数のメータ部のそれぞれに設けられた指針部材のうち長さの短い指針部の設けられた第１の指針部材における軸部の入光率（即ち、回動軸から出光された光のうち、軸部に入光される光の割合）が、指針部材のうち長さの長い指針部の設けられた第２の指針部材における軸部の入光率より小さくなるように構成されているので、第１の指針部材の指針部に導光される光の量を、第２の指針部材のそれより小さくすることができ、そのため、指針部の長さの短い第１の指針部材における単位面積当たりの出光量を、指針部の長さの長い第２の指針部材における単位面積当たりの出光量に近づけて、各指針部の明るさのばらつきを平均化でき、各指針ユニットの視覚効果を統一感があるものとすることができる。
【００１６】
請求項１に記載された発明によれば、指針部の長さの短い第１の指針部材における受光面の面積が、指針部の長さの長い第２の指針部材における受光面の面積より小さくなるように構成されているので、受光面の面積が小さいほど軸部に入光する光の量を小さくすることができ、そのため、簡易な構成で、指針部の長さの短い第１の指針部材における単位面積当たりの出光量を、指針部の長さの長い第２の指針部材における単位面積当たりの出光量に近づけて、各指針部の明るさのばらつきを平均化でき、各指針ユニットの視覚効果を統一感があるものとすることができる。
【００１７】
請求項２に記載された発明によれば、指針部の長さの短い第１の指針部材における受光面と回動軸の出光面との距離が、指針部の長さの長い第２の指針部材における受光面と回動軸の出光面との距離より大きくなるように構成されているので、受光面と出光面との距離が大きいほど、出光面から出光された光のうち受光面に到達する光が少なくなって、軸部に入光する光の量を小さくすることができ、そのため、簡易な構成で、指針部の長さの短い第１の指針部材における単位面積当たりの出光量を、指針部の長さの長い第２の指針部材における単位面積当たりの出光量に近づけて、各指針部の明るさのばらつきを平均化でき、各指針ユニットの視覚効果を統一感があるものとすることができる。
【００１８】
請求項３に記載された発明によれば、指針部材の指針部が、指示方向に加えて当該指示方向と反対の後端方向にも伸びて形成され、指針部材には、さらに、軸部からの光を後端方向に向けて反射するように形成された後端方向反射面と、が一体に設けられているので、指針部の長さをより長くすることができ、各メータ部の視認性を向上させることができる。
【図面の簡単な説明】
【００１９】
【図１】本発明に係る指針計器の一実施形態であるコンビネーションメータの正面図である。
【図２】図１のコンビネーションメータのメータ部（速度計）における断面図である。
【図３】図２のメータ部が備える自発光指針の分解立体図である。
【図４】（ａ）は、図３の自発光指針の指針本体を斜め方向から見た部分透視図であり、（ｂ）は、指針本体の指針部を幅方向から見た部分側面図である。
【図５】図１のコンビネーションメータのメータ部（燃料計）における断面図である。
【図６】（ａ）は、図５のメータ部の自発光指針の指針本体を斜め方向から見た部分透視図であり、（ｂ）は、指針本体の指針部を幅方向から見た部分側面図である。
【図７】図４の指針本体の受光部及び図６の指針本体の受光部をそれぞれの軸方向から見たときの形状を説明する図である。
【図８】（ａ）は、図３の自発光指針と回動軸との嵌合部近傍における光の進行状態を模式的に説明するための拡大断面図であり、（ｂ）は、図５の自発光指針と回動軸との嵌合部近傍における光の進行状態を模式的に説明するための拡大断面図である。
【図９】本発明に係る指針計器の他の一実施形態であるコンビネーションメータの正面図である。
【図１０】図９のコンビネーションメータのメータ部（燃料計）における断面図である。
【図１１】（ａ）は、図１０のメータ部の自発光指針の指針本体を斜め方向から見た部分透視図であり、（ｂ）は、指針本体の指針部を幅方向から見た部分側面図である。
【図１２】図４の指針本体の軸部及び図１１の指針本体の軸部をそれぞれの指針部の幅方向から見たときの形状を説明する図である。
【図１３】（ａ）は、図３の自発光指針と回動軸との嵌合部近傍における光の進行状態を模式的に説明するための拡大断面図であり、（ｂ）は、図１０の自発光指針と回動軸との嵌合部近傍における光の進行状態を模式的に説明するための拡大断面図である。
【図１４】図３のメータ部が備える自発光指針の変形例の構成を示す断面図である。
【図１５】従来のコンビネーションメータの正面図である。
【図１６】図１５のコンビネーションメータのメータ部における部分断面図である。
【発明を実施するための形態】
【００２０】
（実施形態１）
以下、本発明の指針計器の一実施形態であるコンビネーションメータを、図１〜図８を参照して説明する。
【００２１】
図１に示すコンビネーションメータ９０は、見返し１０上に配置されたメータ部としての速度計９２、エンジン回転数計９３、燃料計９４及び水温計９５と、各種ランプ類であるウォーニング９６、シフトインジケータ９７及び方向指示灯９８と、を有しており、それらをケース７内に収容して裏カバー８及び表ガラス９で覆った状態にて、ケース７に設けられた複数の取付部９９によって車両に取り付けられている。
【００２２】
図２に速度計９２の断面図を示す。この速度計９２は、表面２ａ（視認者から視認される面）に目盛及び数字、文字または記号等の指標が設けられた文字板２と、この文字板２の表面２ａ上に配置される指針ユニットとしての自発光指針３（以下、単に「指針３」ともいう）と、指針３が先端に取り付けられる回動軸１４を備えた駆動装置４と、回路パターンや電子部品等が設けられ且つ駆動装置４が固定された配線板５と、配線板５に設けられた複数の光源６と、を有している。
【００２３】
文字板２は、例えば、ポリカーボネートなどの透明又は半透明の合成樹脂などからなる、略円板状に形成された部材であり、文字板２の表面２ａには、遮光インクが印刷された遮光領域と、速度を示す文字や目盛等の形状に沿って遮光インクを抜いて（遮光インクを印刷しないようにして）形成された透光性意匠としての指標が設けられている。各指標は、後述する光源６によって文字板２の裏面側から照らされることにより発光視認される。
【００２４】
指針３は、文字板２の表面２ａ側に配置されて、文字板２に設けられた各指標を指示することによりこれら各指標と協働して車両速度の計測量を表示する。指針３は、図３に示すように、第２の指針部材としての指針本体３１と、該指針本体３１を覆う不透明な合成樹脂からなるカバー部材３２と、カバー部材３２内に設けられて指針３のバランスを調整するバランス部材３９と、を有している。
【００２５】
指針本体３１は、図４（ａ）、（ｂ）に示すように、例えば、ポリカーボネート樹脂やアクリル樹脂など、透光性材料としての透光性の合成樹脂を用いて一体に形成された軸部４０と指針部５０とを有している。
【００２６】
軸部４０は、四角柱状の軸部本体４１と、軸部本体４１の一端４１ａ（即ち、軸部の一端）に設けられた平面状の受光面４２と、を有しており、受光面４２に入光された光を一端４１ａとは反対側の他端４１ｂ（即ち、軸部の他端）に導光するように構成されている。この軸部４０は、その軸方向に直交する横断面形状が正方形で且つ一辺の長さが後述の指針部５０の幅方向長さ（以下、単に「指針部５０の幅」ともいう）と同一の四角柱状に形成されている。軸部４０は、軸方向にわたって同一の横断面形状となるように形成されており、受光面４２についても、上記横断面形状と同一形状に形成されている。なお、指針部５０の幅方向とは、図４（ｂ）において手前−奥方向のことである。また、指針部５０の長手方向とは、図４（ｂ）において左右方向のことである。
【００２７】
また、受光面４２は、後述する駆動装置４の回動軸１４の先端の端面１４ｃの面積と略同一の面積になるように形成されている。
【００２８】
指針部５０は、軸部本体４１の他端４１ｂに連接して設けられており、軸部４０の軸心Ｐから当該軸心Ｐに直角（略直角含む）に交差する一方向（即ち、指示方向Ｓ１）に伸長された指示部５１と、前記一方向と反対の他方向（即ち、後端方向Ｓ２）に指示部５１より短く伸長された後方部５２と、を有している。
【００２９】
軸部４０側に向けられた指針部５０の表面である底面５４には、指針部５０内から当該底面５４に入射した光を反射するように、ホットスタンプ等によって白色又は銀色などに着色して形成された反射層５４ａが重ねて設けられている。また、底面５４における後述するカバー部材３２の袴部３８ｃの内部空間に面する部分には、当該部分から指針部５０内に光が入光しないように遮光処理が施されている。
【００３０】
軸部４０とは反対側に向けられた指針部５０の表面である上面５３には、当該上面５３から出光する光を拡散させるように、ホットスタンプ等によって赤色などに着色して形成された拡散層５３ａが重ねて設けられている。
【００３１】
なお、以下の説明において、「底面５４」との記載は、反射層５４ａを含む指針部５０における軸部４０側の表面のことを表し、「上面５３」との記載は、底面５４と反対側にある拡散層５３ａを含む指針部５０の表面のことを表す。また、底面５４と反射層５４ａ、上面５３と拡散層５３ａについては、必要があるときのみそれらを区別して説明する。
【００３２】
指針部５０には、中空状反射部６０が設けられている。この中空状反射部６０は、図４（ａ）、（ｂ）に示すように、指針部５０内に軸部４０に対向して配置されている。中空状反射部６０は、指示方向反射面６１、後端方向反射面６２、透過面６３を有し、これら３つの面によって、指針部５０を幅方向に貫通する三角柱状の空間が形成されている。
【００３３】
指示方向反射面６１は、略平面状に形成されており、図中下方寄りの一端が軸部４０近傍に配置され、この一端から指示方向Ｓ１（図４（ｂ）の左方向）に向かうにしたがって、軸部４０からその軸心Ｐ方向（図４（ｂ）の上方向）に徐々に離れるように傾斜して形成されている。これにより、指示方向反射面６１は、受光面４２で受光されて軸部４０内を指針部５０まで導光された光の一部を指示方向Ｓ１に反射し、当該光の他の一部を透過面６３側に透過する。
【００３４】
後端方向反射面６２は、略平面状に形成されており、一端が指示方向反射面６１の上記一端に連接され、この一端から後端方向Ｓ２（図４（ｂ）の右方向）に向かうにしたがって、軸部４０からその軸心Ｐ方向（図４（ｂ）の上方向）に徐々に離れるように傾斜して形成されている。つまり、後端方向反射面６２は、指示方向反射面６１に交差して連接されている。これにより、後端方向反射面６２は、受光面４２で受光されて軸部４０内を指針部５０まで導光された光の一部を後端方向Ｓ２に反射し、当該光の他の一部を透過面６３側に透過する。
【００３５】
透過面６３は、指示方向反射面６１における軸部４０から離れた側の他端と、後端方向反射面６２における軸部４０から離れた側の他端と、の間に形成された平面であって、指針部５０の上面５３に略平行に配置されている。
【００３６】
中空状反射部６０は、指示方向反射面６１と後端方向反射面６２とが交差して形成される角部６０ａが、軸部４０の軸心Ｐに対して後端方向Ｓ２側にずれて且つ軸部４０に向けて配置されている。勿論、角部６０ａの配置は、これに限定されるものではなく、自発光指針３の構成に応じて、軸心Ｐ上に配置されていたり、指示方向Ｓ１側にずれて配置されていたりしてもよい。
【００３７】
カバー部材３２は、図３に示すように、上下に分割された上部カバー３３と下部カバー３８とを有している。
【００３８】
上部カバー３３は、指針本体３１の指針部５０の外形に合わせて後端３４ｂから先端３４ａに向かって徐々に細くなる略角筒状に形成された第１カバー部３４と、指針本体３１の軸部４０周辺を覆う円形皿状に形成された第２カバー部３５と、を有している。第１カバー部３４と第２カバー部３５とは図中下方に向けて開口しており、この開口から上記指針本体３１の指針部５０が内側に収容される。
【００３９】
第１カバー部３４の上壁部３４ｃには、後端３４ｂから先端３４ａまで伸びるスリット７１が設けられている。このスリット７１は、指針本体３１とカバー部材３２とが組み付けられたとき、指針本体３１の指針部５０の上面５３をその長手方向全体にわたって一直線状に露出させるように形成されている。また、第２カバー部３５の内面には、図中下方に向けて突出して形成され、下部カバー３８の一対の嵌合孔３８ｄに嵌合する一対のボス（図示せず）が設けられている。
【００４０】
下部カバー３８は、上部カバー３３の第２カバー部３５の開口形状に合わせて形成された円環板形状の第１蓋部３８ａと、指針部５０の指示部５１を収容する上部カバー３３の第１カバー部３４の先端側の部分の開口形状に合わせて形成された、第１蓋部３８ａからその半径方向に延びる帯状の第２蓋部３８ｂと、第１蓋部３８ａの中央部分から図中下方に伸びるように形成されて、指針本体３１の軸部４０が挿入される四角筒形状の袴部３８ｃと、上記上部カバー３３の一対のボスに対応して第１蓋部３８ａに設けられた一対の嵌合孔３８ｄと、バランス部材３９が取り付けられる取付ボス３８ｅと、を有している。
【００４１】
袴部３８ｃは、その内側空間の軸方向に直交する横断面形状が正方形で且つ一辺の長さが指針部５０の幅と同一になるように形成されている。つまり、袴部３８ｃの内側空間の横断面形状は、指針本体３１の軸部４０の横断面形状と同一形状にされている。また、袴部３８ｃの内周面は、光を吸収するための表面処理（例えば、つや消し黒色塗装など）が施されていることが好ましい。
【００４２】
下部カバー３８は、上部カバー３３に組み付けられることで第１カバー部３４及び第２カバー部３５の開口を塞ぎ、上部カバー３３とともに指針本体３１の指針部５０を収容する空間を形成する。そして、この収容空間に指針本体３１の指針部５０が固定して収容される。
【００４３】
バランス部材３９は、指針本体３１の指針部５０を考慮して設定された重量に形成されており、カバー部材３２の下部カバー３８に設けられた取付ボス３８ｅに嵌合される嵌合孔３９ａを有している。バランス部材３９は取付ボス３８ｅによって位置決めされてカバー部材３２内に収容される。
【００４４】
このように構成された指針３は、例えば、以下のように組み立てられる。まず、下部カバー３８の袴部３８ｃに指針本体３１の軸部４０を挿入して、下部カバー３８に指針本体３１をセットすると共に、下部カバー３８にバランス部材３９をセットする。そして、上部カバー３３を、指針本体３１の指針部５０の上面５３側から指針本体３１を覆うように近づけて被せ、上部カバー３３の第２カバー内に設けられた一対のボスと下部カバー３８の一対の嵌合孔３８ｄとを嵌合させることで、上部カバー３３と下部カバー３８とを互いに固定して指針本体３１をカバー部材３２内に収容して、組み付けが完了する。
【００４５】
駆動装置４は、周知のステッピングモータであって、ポリカーボネート樹脂などの透光性の合成樹脂などで形成された回動軸１４と、回動軸１４を回動可能に軸支するとともに図示しない速度センサによる速度計測量に応じてステッピングモータの原理で回動軸１４を回動させる本体部１５と、を有している。
【００４６】
回動軸１４は、略四角柱形状の導光軸部分１４ａと、導光軸部分１４ａの図中下方寄りの端部近傍に一体に設けられた円板状のフランジ部分１４ｂと、を有している。回動軸１４（具体的には導光軸部分１４ａ）は、その軸方向に直交する横断面形状が正方形で且つ一辺の長さが指針部５０の幅方向長さと同一の四角柱状に形成されている。つまり、回動軸１４の横断面形状は、袴部３８ｃの内側空間の横断面形状と同一形状にされている。これにより、回動軸１４は、その図中上方寄りの先端を指針３の袴部３８ｃに嵌め込まれて、指針３が固定して取り付けられる。
【００４７】
換言すると、指針３は、その袴部３８ｃに回動軸１４の先端が挿入嵌合されることにより、当該回動軸１４に固定して取り付けられる。このとき、指針３の受光面４２は、回動軸１４の先端の平面状の端面１４ｃと若干の間隔をあけて対向して配置される。また、軸部４０の軸心Ｐと同一直線上に回動軸１４の軸心が配置される。そして、回動軸１４は、それに取り付けられた指針３を回動させるとともに、その端面１４ｃと反対側の図中下方寄りの基端の端面１４ｄに入光された光を導光して端面１４ｃから出光するように構成されている。回動軸１４の端面１４ｃは、回動軸１４によって導光された光が出光される出光面として機能する。なお、回動軸１４の端面１４ｃは、平面状以外の形状であってもよく、例えば、当該端面１４ｃから出射した光を集光するようなレンズ形状などの非平面形状であってもよい。
【００４８】
本体部１５は、後述する配線板５に重ねて配置される底面１５ａに凹部１５ｂが設けられており、この凹部１５ｂ内に回動軸１４の端面１４ｄが露出されている。
【００４９】
配線板５は、電子部品及びこれら電子部品等を電気的に接続する配線パターンなどが設けられた周知のプリント基板である。配線板５の文字板２側の表面には駆動装置４と複数の光源６とが実装されている。
【００５０】
複数の光源６は、ＬＥＤが用いられ、配線板５に設けられた図示しない制御部によって点灯、消灯が制御される。複数の光源６は、文字板２の指標や指針３の指針本体３１等を発光させるための光を発する。
【００５１】
複数の光源６のうちの１つが、駆動装置４の本体部１５の凹部１５ｂ内に回動軸１４の端面１４ｄと相対して、その中心が軸部４０の軸心Ｐと同一直線上に配置されている。これにより、回動軸１４は、光源６からこの端面１４ｄに入光された光を導光して先端の端面１４ｃから出光する。また、複数の光源６のうち回動軸１４の端面１４ｄと相対して配置されたもの以外のものは、文字板２を背面から照らすように配置されている。これにより、文字板２の表面２ａに設けられた各指標が発光する。
【００５２】
速度計９２では、光源６からの光が回動軸１４内を導光されて端面１４ｃから出光され、そして、この出光された光が指針本体３１の受光面４２に入光されて軸部４０内を導光される。そして、軸部４０内を導光された光は指針部５０に到達して、中空状反射部６０で反射及び透過されて指針部５０内を導光される。そして、指針部５０内を導光された光が反射層５４ａなどによって上面５３に向けて反射されることにより、指針部５０の上面５３から均一に出光される。これにより、指針部５０の上面５３が発光して、当該上面５３がカバー部材３２のスリット７１を通じて発光視認される。
【００５３】
エンジン回転数計９３は、文字板２にエンジン回転数を示す文字や目盛等の透光性意匠としての指標が設けられている以外は、速度計９２と同様の構成であるので、その説明を省略する。
【００５４】
図５に燃料計９４を示す。この燃料計９４は、文字板１０２と、指針ユニットとしての自発光指針１０３（以下、単に「指針１０３」ともいう）と、指針１０３が先端に取り付けられる回動軸１４を備えた駆動装置４と、回路パターンや電子部品等が設けられ且つ駆動装置４が固定された配線板５と、配線板５に設けられた複数の光源６と、を有している。
【００５５】
この燃料計９４は、上述した速度計９２において、文字板２に代えてそれより外径の小さい文字板１０２を備えており、自発光指針３に代えてそれより指針部の長さの短い自発光指針１０３を備えていること以外は、速度計９２と同一の構成部材を備えているので、同一の構成部材には同一の符号を付して説明を省略する。
【００５６】
文字板１０２は、例えば、ポリカーボネートなどの透明又は半透明の合成樹脂などからなる、略円板状に形成された部材であり、上述した文字板２より外径が小さく形成されている。文字板１０２の表面１０２ａには、遮光インクが印刷された遮光領域と、燃料残量を示す文字や目盛等の形状に沿って遮光インクを抜いて形成された透光性意匠としての指標が設けられている。各指標は、後述する光源６によって文字板１０２の裏面側から照らされることにより発光視認される。
【００５７】
指針１０３は、文字板１０２の表面１０２ａ側に配置されて、文字板１０２に設けられた各指標を指示することによりこれら各指標と協働して燃料残量の計測量を表示する。指針１０３は、図３に示す指針３と同様に、第１の指針部材としての指針本体１３１と、該指針本体１３１を覆う不透明な合成樹脂からなるカバー部材１３２と、カバー部材１３２内に設けられて指針１０３のバランスを調整するバランス部材１３９と、を有している。
【００５８】
指針本体１３１は、図６（ａ）、（ｂ）に示すように、例えば、ポリカーボネート樹脂やアクリル樹脂など、透光性材料としての透光性の合成樹脂を用いて一体に形成された軸部１４０と指針部１５０とを有している。
【００５９】
軸部１４０は、四角柱状の軸部本体１４１と、軸部本体１４１の一端１４１ａ（即ち、軸部の一端）に設けられた平面状の受光面１４２と、を有しており、受光面１４２に入光された光を一端１４１ａとは反対側の他端１４１ｂ（即ち、軸部の他端）に導光するように構成されている。この軸部１４０は、その軸方向に直交する横断面形状が正方形で且つ一辺の長さが後述の指針部１５０の幅より小さい四角柱状に形成されている。軸部１４０は、軸方向にわたって同一の横断面形状となるように形成されており、受光面１４２についても、上記横断面形状と同一形状に形成されている。
【００６０】
つまり、受光面１４２は、上述した速度計９２における受光面４２より面積が小さくなるように形成されている。本実施形態においては、一例として、受光面１４２の面積が、速度計９２における受光面４２の面積の７０％になるように形成されている。
【００６１】
図７に、速度計９２の受光面４２と燃料計９４の受光面１４２とを並べて軸心Ｐ方向から見たときの図を示す。図７において、Ｍは受光面４２における指針部５０の長手方向に沿う辺の長さ、Ｎは受光面４２における指針部５０の幅方向に沿う辺の長さ、ｍは受光面１４２における指針部１５０の長手方向に沿う辺の長さ、ｎは受光面１４２における指針部１５０の幅方向に沿う辺の長さ、である。これら辺の長さは、Ｍ＝Ｎ、ｍ＝ｎ、Ｍ＞ｎの関係にある。なお、図７に示す受光面４２、１４２の形状は、一例であって、例えば、長方形や円形、多角形状など、本発明の目的に反しない限り、受光面４２、１４２の形状は任意である。また、受光面４２は、平面状以外の形状であってもよく、例えば、当該受光面４２に入射した光を集光するようなレンズ形状などの非平面形状であってもよい。
【００６２】
指針部１５０は、軸部本体１４１の他端１４１ｂ（即ち、軸部の他端）に連接して設けられており、軸部１４０の軸心Ｐから当該軸心Ｐに直角（略直角含む）に交差する一方向（即ち、指示方向Ｓ１）に伸長された指示部１５１と、前記一方向と反対の他方向（即ち、後端方向Ｓ２）に指示部１５１より短く伸長された後方部１５２と、を有している。
【００６３】
指針部１５０は、上述した速度計９２の指針部５０よりその長手方向長さが短くなるように形成されており、指針部５０と幅方向長さが同一に形成されている。または、指針部１５０は、上述した速度計９２の指針部５０よりその幅方向長さが短くなるように形成されていてもよい。そのため、指針部１５０の上面１５３は、上述した速度計９２の指針部５０の上面５３より面積が小さくなるように形成されている。本実施形態においては、指針部１５０は、上面１５３の面積が上面５３の面積の７０％になるように形成されている。また、指針部１５０は、軸心Ｐに対応する箇所における高さ方向（図４（ｂ）、図６（ｂ）の上下方向）長さが指針部５０におけるそれと同一になるように形成されている。
【００６４】
指針部１５０における底面１５４、反射層１５４ａ、上面１５３、拡散層１５３ａ、並びに、指示方向反射面１６１、後端方向反射面１６２及び透過面１６３を有する中空状反射部１６０、については、上述した速度計９２の指針本体３１に設けられた底面５４、反射層５４ａ、上面５３、拡散層５３ａ、及び、中空状反射部６０を、指針部１５０に合わせて形状（主に大きさ）を変更したものであり、それぞれ同様の構成であるので、それらの説明は省略する。また、カバー部材１３２及びバランス部材１３９についても、上述した速度計９２の指針３に設けられたカバー部材３２及びバランス部材３９を、指針部１５０に合わせて形状（主に大きさ）を変更したものであり、それぞれ同様の構成であるので、それらの説明は省略する。
【００６５】
燃料計９４では、光源６からの光が回動軸１４内を導光されて端面１４ｃから出光され、そして、この出光された光が指針本体１３１の受光面１４２に入光されて軸部１４０内を導光される。そして、軸部１４０内を導光された光は指針部１５０に到達して、中空状反射部１６０で反射及び透過されて指針部１５０内を導光される。そして、指針部１５０内を導光された光が反射層１５４ａなどによって上面１５３に向けて反射されることにより、指針部１５０の上面１５３から均一に出光される。これにより、指針部１５０の上面１５３が発光して、当該上面１５３がカバー部材１３２のスリット７１を通じて発光視認される。
【００６６】
水温計９５は、文字板１０２に水温を示す文字や目盛等の透光性意匠としての指標が設けられている以外は、燃料計９４と同様の構成であるので、その説明を省略する。
【００６７】
ケース７には、速度計９２、エンジン回転数計９３、燃料計９４及び水温計９５に対応して配線板５の中央から文字板２又は文字板１０２の縁部に向かうように形成されたテーパ部７ａが設けられている。また、ケース７には、配線板５の裏面側（図２、図５の下方を向く面側）を覆うようにして裏カバー８が取り付けられ、文字板２、１０２及び見返し１０を覆うようにして表ガラス９が取り付けられている。
【００６８】
次に、上述したコンビネーションメータ９０における本発明に係る動作（作用）について、図８（ａ）、（ｂ）を参照して説明する。
【００６９】
図８（ａ）は、速度計９２の自発光指針３と回動軸１４との嵌合部近傍を拡大した断面図であり、図８（ｂ）は、燃料計９４の自発光指針１０３と回動軸１４との嵌合部近傍を拡大した断面図である。図８（ａ）、（ｂ）において、図中に示す矢印について、その向きは光の進行方向を模式的に示しており、その太さは光の量を模式的に示している。
【００７０】
速度計９２及び燃料計９４において、回動軸１４の端面１４ｃと受光面４２、１４２とは若干の間隔をあけて対向して配置されているので、端面１４ｃから出光された光のうち受光面４２、１４２に入光される光の割合は、端面１４ｃの面積に対する受光面４２、１４２の面積の割合とほぼ一致することになると考えることができる。
【００７１】
本実施形態において、燃料計９４の受光面１４２は、その面積が速度計９２の受光面４２の面積の７０％になるように形成されている。また、燃料計９４の指針本体１３１の上面１５３は、その面積が速度計９２の指針本体３１の上面５３の面積の７０％になるように形成されている。
【００７２】
速度計９２においては、図８（ａ）に示すように、受光面４２が端面１４ｃと略同一の大きさに形成されているので、端面１４ｃから出光された光Ｓのうち大部分（概ね１００％）の光Ｓａ１が受光面４２に入光されて軸部４０内を指針部５０まで導光され、一部の僅かな光Ｓａ２が受光面４２を逸れてカバー部材３２の袴部３８ｃと軸部４０との間の空間を進むなどして減衰吸収されて、軸部４０内を導光されることなく消失する。
【００７３】
一方、燃料計９４においては、図８（ｂ）に示すように、受光面１４２が端面１４ｃより小さく形成されているので、端面１４ｃから出光された光Ｓのうち一部（約７０％）の光Ｓｂ１が受光面１４２に入光されて軸部１４０内を指針部１５０まで導光され、他の一部（約３０％）の光Ｓｂ２が受光面１４２を逸れてカバー部材１３２の袴部３８ｃと軸部１４０との間の空間を進むなどして減衰吸収されて、軸部１４０内を導光されることなく消失する。
【００７４】
これにより、速度計９２においては、回動軸１４からの光Ｓとほぼ同一の量（１００％）の光Ｓａ１が指針部５０まで導光されて指針部５０内を進んだのち、上面５３から均等に出光され、燃料計９４においては、回動軸１４からの光Ｓのうち７０％の量の光Ｓｂ１が指針部１５０に導光されて指針部１５０内を進んだのち、上面５３の７０％の面積の上面１５３から均等に出光される。そのため、速度計９２の上面５３と燃料計９４の上面１５３とにおいて、単位面積当たりの出光量は同一となる。
【００７５】
つまり、本実施形態においては、長さの短い指針部１５０の設けられた指針本体１３１における軸部１４０の入光率（即ち、回動軸１４から出光された光のうち、軸部４０、１４０に入光される光の割合）が、長さの長い指針部５０の設けられた指針本体３１における軸部４０の入光率より小さくなるように構成されている。より具体的には、長さの短い指針部１５０の設けられた指針本体１３１における受光面１４２の面積が、長さの長い指針部５０の設けられた指針本体３１における受光面４２の面積より小さくなるように構成されている。
【００７６】
以上より、本実施形態によれば、速度計９２、エンジン回転数計９３、燃料計９４及び水温計９５のそれぞれに設けられた指針本体３１、１３１のうち長さの短い指針部１５０の設けられた指針本体１３１における軸部１４０の入光率（即ち、回動軸１４から出光された光のうち、軸部４０、１４０に入光される光の割合）が、長さの長い指針部５０の設けられた指針本体３１における軸部４０の入光率より小さくなるように構成されているので、長さの短い指針本体１３１の指針部１５０に導光される光の量を、長さの長い指針本体３１のそれより小さくすることができ、そのため、指針部１５０の長さの短い指針本体１３１における単位面積当たりの出光量を、指針部５０の長さの長い指針本体３１における単位面積当たりの出光量に近づけて、指針部１５０と指針部５０との明るさのばらつきを平均化でき、各自発光指針３及び自発光指針１０３の視覚効果を統一感があるものとすることができる。
【００７７】
また、指針部１５０の長さの短い指針本体１３１における受光面１４２の面積が、指針部５０の長さの長い指針本体３１における受光面４２の面積より小さくなるように構成されているので、受光面４２、１４２の面積が小さいほど軸部４０、１４０に入光する光の量を小さくすることができ、そのため、簡易な構成で、指針部１５０の長さの短い指針本体１３１における単位面積当たりの出光量を、指針部５０の長さの長い指針本体３１における単位面積当たりの出光量に近づけて、指針部１５０と指針部５０との明るさのばらつきを平均化でき、各自発光指針３及び自発光指針１０３の視覚効果を統一感があるものとすることができる。
【００７８】
また、指針本体３１の指針部５０が、指示方向Ｓ１に加えて当該指示方向Ｓ１と反対の後端方向Ｓ２にも伸びて形成され、指針本体３１には、さらに、軸部４０からの光を後端方向Ｓ２に向けて反射するように形成された後端方向反射面６２と、が一体に設けられているので、指針部５０の長さをより長くすることができる。また、指針本体１３１の指針部１５０についても同様にして、指針部５０の長さをより長くすることができる。これにより、速度計９２、エンジン回転数計９３、燃料計９４及び水温計９５の視認性を向上させることができる。
【００７９】
（実施形態２）
以下、本発明の指針計器の他の一実施形態であるコンビネーションメータを、図９〜図１３を参照して説明する。
【００８０】
図９に示す実施形態２のコンビネーションメータ９０Ａは、上述した実施形態１のコンビネーションメータ９０において、燃料計９４及び水温計９５に代えて、燃料計９４Ａ及び水温計９５Ａが設けられていること以外は、コンビネーションメータ９０と同一の構成であるので、同一の構成部材には同一の符号を付して説明を省略する。
【００８１】
図１０に燃料計９４Ａを示す。この燃料計９４Ａは、文字板１０２と、指針ユニットとしての自発光指針１０３Ａ（以下、単に「指針１０３Ａ」ともいう）と、指針１０３Ａが先端に取り付けられる回動軸１４を備えた駆動装置４と、回路パターンや電子部品等が設けられ且つ駆動装置４が固定された配線板５と、配線板５に設けられた複数の光源６と、を有している。
【００８２】
指針１０３Ａは、文字板１０２の表面１０２ａ側に配置されて、文字板１０２に設けられた各指標を指示することによりこれら各指標と協働して燃料残量の計測量を表示する。指針１０３Ａは、上述した実施形態１の指針１０３において、第１の指針部材としての指針本体１３１Ａが、軸部１４０に代えて、軸部２４０を備える以外は、指針１０３と同一の構成である。
【００８３】
軸部２４０は、図１１（ａ）、（ｂ）に示すように、四角柱状の軸部本体２４１と、軸部本体２４１の一端２４１ａ（即ち、軸部の一端）に設けられた平面状の受光面２４２と、を有しており、受光面２４２に入光された光を一端２４１ａとは反対側の他端２４１ｂ（即ち、軸部の他端）に導光するように構成されている。この軸部２４０は、その軸方向に直交する横断面形状が正方形で且つ一辺の長さが指針部１５０の幅と同一の四角柱状に形成されている。軸部２４０は、軸方向にわたって同一の横断面形状となるように形成されており、受光面２４２についても、上記横断面形状と同一形状に形成されている。
【００８４】
そのため、受光面２４２は、その面積が指針本体３１の受光面４２の面積と同一になるように形成されている。また、軸部２４０は、その軸方向長さが指針本体３１の軸部４０の軸方向長さより短くなるように形成されている。
【００８５】
図１２に、速度計９２の軸部４０と燃料計９４Ａの軸部２４０とを並べて指針部５０、１５０の幅方向から見たときの図を示す。図１２において、Ｌは軸部４０の軸方向の長さ、ｌは軸部２４０の軸方向の長さ、である。これら長さは、Ｌ＞ｌの関係にある。
【００８６】
次に、上述したコンビネーションメータ９０Ａにおける本発明に係る動作（作用）について、図１３（ａ）、（ｂ）を参照して説明する。
【００８７】
図１３（ａ）は、速度計９２の自発光指針３と回動軸１４との嵌合部近傍を拡大した図であり、図１３（ｂ）は、燃料計９４Ａの自発光指針１０３Ａと回動軸１４との嵌合部近傍を拡大した図である。図１３（ａ）、（ｂ）において、図中に示す矢印について、その向きは光の進行方向を模式的に示しており、その太さは光の量を模式的に示している。
【００８８】
回動軸１４の端面１４ｃから出光された光は、当該端面１４ｃから離れるほど単位面積当たりの光の量が小さくなる。そして、速度計９２においては、軸部４０の軸方向の長さが比較的長いので、回動軸１４の端面１４ｃと受光面４２とが互いに近づけられて配置されている。燃料計９４Ａにおいては、軸部２４０の軸方向の長さが比較的短いので、回動軸１４の端面１４ｃと受光面２４２とが互いに遠ざけられて配置されている。
【００８９】
本実施形態において、回動軸１４の端面１４ｃから出光した光が速度計９２の受光面４２に到達したときの単位面積当たりの光の量を１００％とすると、回動軸１４の端面１４ｃから出光した光が燃料計９４Ａの受光面２４２に到達したときの単位面積当たりの光の量が７０％となるように、端面１４ｃと受光面４２、２４２との距離（即ち、軸部４０及び軸部２４０の長さ）が設定されている。
【００９０】
速度計９２においては、図１３（ａ）に示すように、受光面４２が端面１４ｃと略同一の大きさに形成されているとともに、受光面４２と端面１４ｃとが近づけられて配置されているので、端面１４ｃから出光された光Ｓのうち大部分（概ね１００％）の光Ｓａ１が受光面４２に入光されて軸部４０内を指針部５０まで導光され、一部の僅かな光Ｓａ２が受光面４２を逸れてカバー部材３２の袴部３８ｃと軸部４０との間の空間を進むなどして減衰吸収されて、軸部４０内を導光されることなく消失する。
【００９１】
一方、燃料計９４Ａにおいては、図１３（ｂ）に示すように、受光面２４２が端面１４ｃと略同一の大きさに形成されているとともに、受光面２４２と端面１４ｃとが遠ざけられて配置されているので、端面１４ｃから出光された光Ｓのうち一部（約７０％）の光Ｓｃ１が受光面２４２に入光されて軸部１４０内を指針部１５０まで導光され、他の一部（約３０％）の光Ｓｃ２がカバー部材１３２の袴部３８ｃに到達するなどして減衰吸収されて、軸部２４０内を導光されることなく消失する。
【００９２】
これにより、速度計９２においては、回動軸１４からの光Ｓとほぼ同一の量（１００％）の光Ｓａ１が指針部５０まで導光されて指針部５０内を進んだのち、上面５３から均等に出光され、燃料計９４Ａにおいては、回動軸１４からの光Ｓのうち７０％の量の光Ｓｂ１が指針部１５０に導光されて指針部１５０内を進んだのち、上面５３の７０％の面積の上面１５３から均等に出光される。そのため、速度計９２の上面５３と燃料計９４Ａの上面１５３とにおいて、単位面積当たりの出光量は同一となる。
【００９３】
つまり、本実施形態においては、長さの短い指針部１５０の設けられた指針本体１３１Ａにおける軸部２４０の入光率（即ち、回動軸１４から出光された光のうち、軸部４０、２４０に入光される光の割合）が、長さの長い指針部５０の設けられた指針本体３１における軸部４０の入光率より小さくなるように構成されている。より具体的には、長さの短い指針部１５０の設けられた指針本体１３１Ａにおける受光面２４２と回動軸１４の端面１４ｃとの距離が、長さの長い指針部５０の設けられた指針本体３１における受光面４２と回動軸１４の端面１４ｃとの距離より大きくなるように構成されている。
【００９４】
以上より、本実施形態によれば、速度計９２、エンジン回転数計９３、燃料計９４Ａ及び水温計９５Ａのそれぞれに設けられた指針本体３１、１３１Ａのうち長さの短い指針部１５０の設けられた指針本体１３１Ａにおける軸部２４０の入光率（即ち、回動軸１４から出光された光のうち、軸部４０、２４０に入光される光の割合）が、長さの長い指針部５０の設けられた指針本体３１における軸部４０の入光率より小さくなるように構成されているので、長さの短い指針本体１３１Ａの指針部１５０に導光される光の量を、長さの長い指針本体３１のそれより小さくすることができ、そのため、指針部１５０の長さの短い指針本体１３１Ａにおける単位面積当たりの出光量を、指針部５０の長さの長い指針本体３１における単位面積当たりの出光量に近づけて、指針部１５０と指針部５０との明るさのばらつきを平均化でき、各自発光指針３及び自発光指針１０３Ａの視覚効果を統一感があるものとすることができる。
【００９５】
また、指針部１５０の長さの短い指針本体１３１Ａにおける受光面２４２と回動軸１４の端面１４ｃとの距離が、指針部５０の長さの長い指針本体３１における受光面４２と回動軸１４の端面１４ｃとの距離より大きくなるように構成されているので、受光面２４２と回動軸１４の端面１４ｃとの距離が大きいほど、当該端面１４ｃから出光された光のうち受光面２４２に到達する光が少なくなって、軸部２４０に入光する光の量を小さくすることができ、そのため、簡易な構成で、指針本体１３１Ａにおける単位面積当たりの出光量を、指針本体３１における単位面積当たりの出光量に近づけて、指針部１５０と指針部５０との明るさのばらつきを平均化でき、各自発光指針３及び自発光指針１０３Ａの視覚効果を統一感があるものとすることができる。
【００９６】
また、指針本体３１の指針部５０が、指示方向Ｓ１に加えて当該指示方向Ｓ１と反対の後端方向Ｓ２にも伸びて形成され、指針本体３１には、さらに、軸部４０からの光を後端方向Ｓ２に向けて反射するように形成された後端方向反射面６２と、が一体に設けられているので、指針部５０の長さをより長くすることができる。また、指針本体１３１Ａの指針部１５０についても同様にして、指針部５０の長さをより長くすることができる。これにより、速度計９２、エンジン回転数計９３、燃料計９４Ａ及び水温計９５Ａの視認性を向上させることができる。
【００９７】
上述した各実施形態において、各受光面は平面状の正方形に形成されているものであるが、このような形状に限定されるものではなく、正方形状以外にも、長方形、円形、多角形、又は、平面状以外にも曲面状や複数の面が組み合わされた形状など、光源の光を受光可能な形状であれば、本発明の目的に反しない限り、受光面の形状は任意である。
【００９８】
また、各軸部は、四角柱形状に形成されているものであったが、このような形状に限定されるものではなく、例えば、円柱、三角柱、又は、一端から他端に向かうにしたがって横断面積が変化するテーパ状の四角柱などの柱状であれば、本発明の目的に反しない限り、軸部の形状は任意である。
【００９９】
また、実施形態１では、指針部の長さの短い指針部材と指針部の長さの長い指針部材とで、受光面の面積を変えており、実施形態２では、指針部の長さの短い指針部材と指針部の長さの長い指針部材とで、受光面と回動軸の端面（即ち、出光面）との距離を変えているものであったが、これに限定されるものではなく、指針部の長さの短い指針部材と指針部の長さの長い指針部材とで、受光面の面積、及び、受光面と出光面との距離、を共に変えた構成であってもよい。
【０１００】
また、上述した各実施形態において、指針本体３１は、後方部５２及び後端方向反射面６２を備えるものであったが、これに限定されるものではない。例えば、図１４に示す指針本体３３１のように、指針本体３１において、指針部５０に代えて、指示部３５１及び指示方向反射面３６１が設けられかつ後方部及び後端方向反射面が設けられていない指針部３５０を備えた構成であってもよい。この場合、カバー部材３２のスリット７１の長さが、指針本体３３１の上面３５３の長さと略同一になるように構成される。この指針本体３３１を備えたメータ部以外の他のメータ部が備えた指針部材についても、この指針本体３３１と同様の構成であってもよい。
【０１０１】
また、上述した各実施形態において、中空状反射部内は中空であったが、これに限定されるものではなく、中空状反射部内の空間と同一形状の三角柱状に形成された光拡散部材を、当該中空状反射部内に設けるようにしてもよい。
【０１０２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【０１０３】
３、１０３、１０３Ａ  自発光指針（指針ユニット）
４        駆動装置
６        光源
１４      回動軸
１４ｃ    端面（出光面）
３１、１３１、１３１Ａ  指針本体（指針部材）
４０、１４０、２４０  軸部
４１、１４１、２４１  軸部本体
４１ａ、１４１ａ、２４１ａ  一端
４１ｂ、１４１ｂ、２４１ｂ  他端
４２、１４２、２４２  受光面
５０、１５０  指針部
６０、１６０  中空状反射部
６１、１６１  指示方向反射面
６２、１６２  後端方向反射面
６３、１６３  透過面
９０、９０Ａ  コンビネーションメータ（指針計器）
９２      速度計（メータ部）
９３      エンジン回転数計（メータ部）
９４、９４Ａ  燃料計（メータ部）
９５、９５Ａ  水温計（メータ部）
Ｐ        軸部の軸心
Ｓ１      指示方向
Ｓ２      後端方向
【図１】
0005964088.tif 000002
【図２】
0005964088.tif 000003
【図３】
0005964088.tif 000004
【図４】
0005964088.tif 000005
【図５】
0005964088.tif 000006
【図６】
0005964088.tif 000007
【図７】
0005964088.tif 000008
【図８】
0005964088.tif 000009
【図９】
0005964088.tif 000010
【図１０】
0005964088.tif 000011
【図１１】
0005964088.tif 000012
【図１２】
0005964088.tif 000013
【図１３】
0005964088.tif 000014
【図１４】
0005964088.tif 000015
【図１５】
0005964088.tif 000016
【図１６】
0005964088.tif 000017